(57)【要約】
【課題】極めて容易に、洗浄料の泡をきめ細かく作る事を可能にする、泡立てネットボールを提供する。
【解決手段】筒状一体成型プラスチックネットを、数回折り返し多層構造の略球体を成形し、両掌の中で自由に転がすことによって、泡立てる事を特徴とする。
【選択図】「図１」
0003100252.tif 000002
【実用新案登録請求の範囲】
【請求項１】
数ミリ四方の細かい網目を有する、筒状の一体成形プラスチックネットを使用し、７０〜９０ミリ前後の長さで外側に６回折り返し裁断することで、５重構造になった筒状のネットの上下端をナイロン等の糸で縫い縮めることにより、直径８０ミリ前後の多層構造の略球体となったことを特徴とする、泡立てネットボール。
【請求項２】
ポリエチレン等の合成樹脂を材料とする、適宜の長さに裁断した筒状の一体成形プラスチックネットを、数回外側に折り返し多層構造となった筒状のネットの上下端を、ナイロン等の糸で縫い縮めることにより、上下端が１点から放射状にひろがったりんごのような形状となった略球体の泡立てネットボール。
【考案の詳細な説明】
【技術分野】本考案は、液体洗顔料・スクラブ入り洗顔クリーム・洗顔用固形石鹸・ボディソープ等の泡を、きめ細かいクリーム状に簡単に作る事を可能にする為の、泡立てネットボールに関するものである。
【背景技術】
【０００１】従来の泡立てネットは、その形状から概ね２つに分類される。１つは筒状のネットの原型を生かして袋状にし、その中に洗浄料・水を入れ、ネットとこすりあわせたり、ネットをもんだりする事で泡をつくるもの（従来の技術１）。もう１つは、ネットを多重構造の袋状にし、中に吸湿弾性体としてスポンジ等を入れ泡をつくるもの（従来の技術２）。そして、指に固定させる為のリングや紐を必要とするものが多かった。【０００２】例えば、（従来の技術１）は特開平１０−２７６９２８号に、（従来の技術２）は、登録実用新案第３０７１６９３号で開示されている。
【考案の開示】
【考案が解決しようとする課題】
【０００３】（従来の技術１）では泡を作る過程において、水分がネットから落下する、両掌間が密着しやすく十分に空気を取り込めない等、常にきめ細かい泡を作るには、ある程度の慣れを必要とした。（従来の技術２）では、（従来の技術１）の課題はクリアできるものの、多重構造の袋状のネットの中に、吸湿弾性体としてスポンジ等を入れる必要があり、製作工程数が多くなり製造コストが上がってしまう。勿論ネットを指に固定するリング又は、紐の為にコストが上がることも自明である。又使用者の立場からも泡立ての過程において、リング又は紐等の付けはずしの動作が無い方がより簡便である。
【課題を解決するための手段】
【０００４】前述の課題をクリアする為には、以下の条件が必要である。
イ）水分の落下を防ぐ為に、片掌に収まるサイズが良い。
ロ）泡立ての際、両掌間に適度なすきまができる形状が良い。
ハ）製造コストを下げる為に材料は少なく、構造もシンプルが良い。
ニ）指に固定する部材は無い方が良い。【０００５】即ち、請求項１の数ミリ四方の細かい網目を有する、筒状の一体成型プラスチックネットを使用し、７０〜９０ミリ前後の長さで外側に６回折り返し、裁断する事で５重構造に成型された筒状のネットの上下端をナイロン等の糸で縫い縮めることにより、直径８０ミリ前後の多層横造の略球体となった事を特徴とする、泡立てネットボールである。
【考案の効果】
【０００６】本考案に係る泡立てネットボールによれば、細かい網目を有するプラスチックネットを使用した５重構造の略球体であり、しかも片掌に乗るサイズであるので、扱いが非常に簡単である。具体的には、片掌を上に向け指を全部閉じて掌の中心をくぼませ、水分がこぼれないようにする。そのくぼみに洗浄料と水又はぬるま湯を適量入れ、泡立てネットボールを乗せて、もう片方の掌で転がすだけである。又、洗浄料が固形石鹸である場合は、掌の上に固形石鹸を乗せ、水分を含ませた泡立てネットボールを固形石鹸の上で転がせば良い。【０００７】本考案に係る泡立てネットボールによって作られた泡は、５重構造の泡立てネットボールが、洗浄料と水に十分な空気を混ぜ込む為、数多く転がすほど、誰にでもきめ細かい泡が作れる。【０００８】本考案に係る泡立てネットボールの製造に必要な材料はポリエチレン等の合成樹脂製の一体成型ネットと、同素材の糸或いは、ナイロン等の糸だけである。【０００９】本考案に係る泡立てネットボールは、指に固定して泡立てるという発想を捨て、掌で自在に動かす事により、洗浄料と水に空気を混ぜ込む動作となる為、指に固定する為のリングや紐等を必要としない。【００１０】本考案に係る泡立てネットボールは、自身の多重構造の略球体という形状により、掌の上で転がしているうちに、出来た泡を自身の中に取り込んでいくという性質がある。その為泡が掌からこぼれ落ちる事はほとんどなく、出来上がった泡は、泡立てネットボールを片手でつかんで握りつぶせば簡単に取り出すことができる。【００１１】本考案に係る泡立てネットボールは、自身の多重構造という特性だけで安定した略球体を維持し、ネットの特性からも水切れが良い為、使用後は軽くすすいで数回振る程度で短時間で乾燥し衛生的である。
【考案を実施すための最良の形態】
【００１２】本考案は、洗浄料を簡単にきめ細かく泡立てるものである為、請求項１に記載した、数ミリ四方の細かい網目を有する筒状の一体成型プラスチックネットを使用し、７０〜９０ミリ前後の長さで外側に６回折り返し裁断する事で、５重構造になった筒状のネットの上下端をナイロン等の糸で縫い縮める事により、直径８０ミリ前後の多層構造の略球体となったことを特徴とする、洗顔用泡立てネットボールが最良の形態である。
【００１３】勿論ネットの裁断の寸法や、折り返す回数等を限定する必要は無く、応用は可能である。その際第１に優先すべきポイントは、使用者の掌の大きさによる、泡立てネットボールの直径と、その大きさと弾性を保持できる多重構造を形成する為の折り返す回数である。
【実施例】
【００１４】本考案の実施の形態を図面を参照して説明する。図１は本考案の斜視図である。請求項２にもあるように、適宜の長さに裁断した筒状の一体成型プラスチックネットを、数回外側に折り返し多層構造となった筒状のネットの上下端を、ナイロン等の糸で縫い縮めることにより、上下端が一点から放射状にひろがったりんごのような形状となった略球体の泡立てネットボールである。【００１５】図２は数ミリ四方の細かい網目を有する、筒状の一体成型プラスチックネットを適宜の長さで裁断し、５重構造にするなら６回折り返す例である。その際内側ほど寸法を少し短く取っても良い。すると図３のような形状となる。上下端３でネット３枚を重ねてナイロン等の糸で縫い縮める。縫い方は、２本どりで１周縫うよりも、１本で２周縫う方が縫い口のしまりが良い。裁断端は略球体の中に入れ込み表に出ないようにする。【００１６】図４は、図３で縫い縮めて形成したものを、真横から見た図である。上下端３は、縫い口４になっている。【００１７】図５は、図３に示されるＡ−Ａ線断面図である。【００１８】図６は、図４に示されるＢ−Ｂ線断面図である。裁断端５は、縫い口４の内側に入れ込まれている。【００１９】図７は、本考案に係る泡立てネットボールの好適な使用状態を示した図である。片掌を上に向け指を全部閉じて掌の中心をくぼませ、水分がこぼれないようにする。そこに洗浄料と水又はぬるま湯を各適量入れ、泡立てネットボールを載せてもう片方の掌で転がす。その際ネットボールをあまり押しつぶさない方が泡が良く出来る。又洗浄料が固形石鹸の場合は、片掌に固形石鹸を乗せ、水分を含ませた泡立てネットボールを固形石鹸の上で転がせば良い。どちらもきめ細かい泡が簡単にできる。しかもできた泡は、ネットボールの中に取り込まれていくので、掌からこぼれ落ちることはほとんど無い。出来上がった泡は、泡立てネットボールを片手で掴んで握りつぶせば簡単に取り出す事ができる。
【図面の簡単な説明】
【００２０】
【００２１】
【図１】本考案の泡立てネットボールの斜視図である。
【図２】数ミリ四方の細かい網目を有する、筒状の一体成型プラスチックネットの平面図である。
【図３】図２のネットを数回折り返し形成したものの正面図である。
【図４】図３の上下端を縫い縮めたものの正面図である。
【図５】図３のＡ−Ａ線断面図である。
【図６】図４のＢ−Ｂ線断面図である。
【図７】本考案の泡立てネットボールの好適な使用状態を示す図である。
【符号の説明】
【００２２】１　泡立てネットボール
２　ネット部材
３　上下端
４　縫い口
５　裁断端
【図１】
0003100252.tif 000003
【図２】
0003100252.tif 000004
【図３】
0003100252.tif 000005
【図４】
0003100252.tif 000006
【図５】
0003100252.tif 000007
【図６】
0003100252.tif 000008
【図７】
0003100252.tif 000009